(57)【要約】【課題】  柔軟性のあるかばん類、袋物（対象物）であっても、その変形に適宜に対応できるがばん類、袋物用表示具を提供する。また安全性、安定性に優れ、強固に固定されるかばん類、袋物用表示具を提供する。【解決手段】  表面に凹陥する台座部を有する基部と、台座部に装着して固着される表示プレートと、かばん類、袋物などの対象物に基部を固定する固定子とを備え、両端部に配置された固定子を介して基部を対象物に固定し、可撓性の素材からなる表示用プレートを台座部に装着するとともに、可撓性の素材からなる基部は固定子により両端部を湾曲自在に支持され、表示用プレートの上面が台座部を囲む基部上面とほぼ面一とした。【選択図】  図８
2005078062.tif 000002
【特許請求の範囲】
【請求項１】
表面に凹陥する台座部を有する基部と、台座部に装着して固着される表示プレートと、かばん類、袋物などの対象物に基部を固定する固定子とを備え、両端部に配置された固定子を介して基部を対象物に固定し、可撓性の素材からなる表示用プレートを台座部に装着するとともに、可撓性の素材からなる基部は固定子により両端部を湾曲自在に支持され、表示用プレートの上面が台座部を囲む基部上面とほぼ面一としたかばん類、袋物用表示具。
【請求項２】
表面に凹陥する台座部を有する基部と、台座部に装着して固着される表示プレートと、かばん類、袋物などの対象物に基部を固定する固定子とを備え、両端部に配置された固定子を介して基部を対象物に固定し、可撓性の素材からなる表示用プレートを台座部に装着するとともに、可撓性の素材からなる基部は固定子により両端部を湾曲自在に支持され、表示用プレートの上面が台座部を囲む基部上面とほぼ面一とし、表示用プレートは不織布、軟質合成樹脂、紙なとの柔軟性素材からなる中間部材の上下に配設された接着層を介して台座部に固着されるかばん類、袋物用表示具。
【請求項３】
基部の両端部が状の側縁を有する請求項１又は２に記載のかばん類、袋物用表示具。
【請求項４】
台座部の底面に接着性を強化する小凹部を有する請求項１又は２に記載のかばん類、袋物用表示具。
【請求項５】
台座部の底面に接着性を強化する小凹凸部を有する請求項１又は２に記載のかばん類、袋物用表示具。
【請求項６】
表面に凹陥する台座部を有する基部と、台座部に装着して固着される表示プレートと、かばん類、袋物などの対象物に基部を固定する固定子とからなり、弧状の側縁を有する基部の両端部には中心の円形の貫通孔と同心円状でありかつ台座部とほぼ同じ深さの受け凹部を形成し、貫通孔に円筒状の軸部を挿入するとともに受け凹部に頭部が装着された固定子を介して基部をかばん類、袋物などの対象物に固定するかばん類、袋物用の表示具。
【請求項７】
凹部に装着された固定子の頭部は上端が基部上面と同じ高さか若干低くした請求項６に記載のかばん類、袋物用表示具。
【発明の詳細な説明】
【発明の詳細な説明】
【技術分野】
【０００１】  本発明はかばん類、袋物にネーム、記号など種々の表示をするかばん類、袋物用表示具にかんする。
【背景技術】
【０００２】  かばん類、袋物用表示具として名前などを表示したプレートを枠状の基板上に貼着する構造のものがある。しかしかばん類、袋物（対象物）が柔軟性を有すためその全体形状が状況により変形するような場合、表示具の存在がその変形に対応できないため、かばん類、袋物の使い勝手を悪くすることがある。
【特許文献】  本願特許出願人の出願、登録にかかる実用新案権（平成９年６月１２日出願、考案の名称「かばん類、袋物用表示具と該表示具を取り付けたかばん類、袋物」）。
【発明が解決しようとする課題】
【０００３】  本発明はこのような問題点を解決を目的とするものであり、全体に剛性を有するかばん類、袋物（対象物）に使用できるのはもちろろんのこと、柔軟性のあるかばん類、袋物（対象物）であっても、その変形に適宜に対応できるかばん類、袋物用表示具を提供することを課題とする。また安全性、安定性に優れ、強固に固定されるかばん類、袋物用表示具を提供するすることを課題とする。
【課題を解決するための手段】
【０００４】  上記課題を解決するため、本発明にかかるかばん類、袋物用表示具は次のような手段を採用する。すなわち表面に凹陥する台座部を有する基部と、台座部に装着して固着される表示プレートと、かばん類、袋物などの対象物に基部を固定する固定子とを備え、両端部に配置された固定子を介して基部を対象物に固定し、可撓性の素材からなる表示用プレートを台座部に装着するとともに、可撓性の素材からなる基部は固定子により両端部を湾曲自在に支持され、表示用プレートの上面が台座部を囲む基部上面とほぼ面一に設定した。
【０００５】  表面に凹陥する台座部を有する基部と、台座部に装着して固着される表示プレートと、かばん類、袋物などの対象物に基部を固定する固定子とを備え、両端部に配置された固定子を介して基部を対象物に固定し、可撓性の素材からなる表示用プレートを台座部に装着するとともに可撓性の素材からなる基部は固定子により両端部を湾曲自在に支持され、表示用プレートの上面が台座部を囲む基部上面とほぼ面一とし、表示用プレートは不織布、軟質合成樹脂、紙などの柔軟性素材からなる中間部材の上下に配設された接着層を介して台座部に固着されるかばんとほぼ同じに設定した。
【０００６】  表面に凹陥する台座部を有する基部と、台座部に装着して固着される表示プレートと、かばん類、袋物などの対象物に基部を固定する固定子とからなり、弧状に形成された側縁を有する基部の両端部には中心の円形の貫通孔と同心円状でありかつ台座部とほぼ同じ深さの受け凹部を形成し、貫通孔に円筒状の軸部を挿入するとともに受け凹部に円形状の頭部が装着された固定子を介して基部をかばん類、袋物などの対象物に固定する。
【発明を実施するための最良の形態】
【０００７】  本発明にかかるかばん類、袋物用表示具１の実施の形態を添付の図面を参照して説明する。まず本発明にかかる表示具１をかばん類、袋物など対象物に取り付けた状態を示すと、図１はかばん５０ａに取着された表示具１であり、図２は札入５０ｂに取着された表示具１であり、図３は手提げかばん５０ｃに取着された表示具１であり、また図４は書類入かばん５０ｄに取着された表示具１である。ネームなどの表示具１を取着する対象物５０に限定はなく、またその大きさ、形状、取り付け位置なども任意である。【０００８】  表示具１は基部２と、基部の台座部３に装着して固着される表示用プレート５と、かばん類、袋物などの対象物に基部２を固定する固定子６とからなる。基部２は両端部が円弧状に湾曲した横長の薄板状に形成される。基部２は、例えば、軟質合成樹脂など適宜な可撓性あるいは柔軟性の素材により形成される。基部２の厚みは用途など応じて適宜に設定すればよい。可撓性を有する基部２は表面側に凹陥する台座部３を設け、台座部３はその全体形状が矩形状である。これは台座部に装着される、例えば矩形状の表示用プレート７に対応しており、台座部３の形状は表示用プレート７の形状とともに任意である。台座部３は両端部９、９を除く基部２のほぼ全面にわたり形成され、台座部３の凹陥により基部２は全体的に厚みが薄くなっている。【０００９】  凹陥する台座部３には台座部３より若干小さい表示用プレート７が固着される。表示用プレート７の大きさは台座部３より若干小さく、また軟質合成樹脂や可撓性の金属など、適宜な柔軟性あるいは可撓性の素材により形成する。基部の両端部９、９は弧状の側縁１０を有し、また中心の円形状の貫通孔１１と同心円状の受け凹部１２を有する。受け凹部１２の深さは台座部３とほぼ同じであり、受け凹部１２は側縁１０および台座部の側端部１５のいずれにも近接している。表示用プレート７にはネーム、記号、マーク、絵、写真、イニシャル（図示せず）など、用途、目的に応じて種々の表示される。また印刷、レーザー光線による彫り込みなどネームなどを表示用プレートに形成する手段、方法も任意である。【００１０】  表示用プレート７は裏面側に設けられた接着層を介して台座部３に固着される。表示用プレート７は１層の接着層によっても台座部３に固着されるが、２層の接着層により固着するのがよい。すなわち不織布、軟質合成樹脂、紙などの柔軟性のある中間部材１６の上下に配設される２層の接着層１７、ｌ７を介して固着する。帯状の接着層が湾曲状などに変形するなど接着層に一定以上の力（以下「変形力」という）が加わると固化した接着層に部分的な破断が生じやすく、接着層の接着力が劣化する。しかしこのような変形力に対しては、２層の接着層１７、１７間に柔軟性の中間部材１６が介在することにより接着層１７、ｌ７の部分的な破断を防止する。また中間部材１６の上下に接着層１７、１７を設けたから、接着層１７を薄くしても部分的な破断が生じにく、２層の接着層により接着力はむしろ強固となる。なお表示用プレート７は基部２に固着したものを対象物５０に固定してもよく、対象物５０に固定された基部に表示用プレート７を固着してもよい。なお表示用プレートの上面���９は台座部３を囲む基部２の上面２０とほぼ面一、つまり両者の上面が同じ高さである。【００１１】  前記のように表示用プレート７は適宜な可撓性を有し、また基部２も適宜な可撓性を有する。基部は２は凹陥する台座部３によりほぼ全体的に厚みが薄く、可撓性が促進される。さらに中間部材１６が柔軟性、可撓性を有するから、上下に配設された接着層１７、１７の可撓性が促進される。【００１２】  基部２は固定子６、６を介してかばん類、袋物などの対象物５０に固定される。固定子６は円形状の頭部２１と円筒状の軸部２２を有する。固定子６は基部２を対象物に固定するものであればよくその構造に限定はなく、螺子（図示せず）を使用してもよい。受け凹部１２は基部２の両端部９、９に形成され、受け凹部の貫通孔１１に軸部２２を挿入するとともに、受け凹部１２に円形状の頭部２１を装着する一方、対象物５０を貫通する軸部２２の先端をかしめ１３るなどすると、固定子６を介して基部２と対象物５０が一体的に固定される。なお固定した状態で固定子の頭部の上面１５は基部の上面１９とほぼ面一である。【００１３】  固定子６、６により両端部９、９が固定された基部２は裏面が対象物に面接触するとともに、固定子６、６により両端部９、９が固定される。基部２と表示用プレート７は可撓性を有するから、台座部３に固着された表示用プレート７を備える基部２は、両端部９、９の固定子６、６により湾曲自在に支持され、対象物５０が部分的に変形したような場合、表示具１が対象物５０の変形に適応して湾曲など変形をする一方、対象物５０の変形が解消すると原形に復帰する。【００１４】  基部２の中央部が上方あるいは下方に向け湾曲するような場合、両端部９、９の固定子６、６が基部２をブリッジ状に支持する。図１１は中央部が上方に向け湾曲する基部２を固定子６、６がブリッジ状に支持している（但し表示用プレート、接着層、中間部材の三者が一体的表現してある。なお図７、８も同様に一体的に表現）。この場合、受け凹部の貫通孔１１の直径が筒状の軸部２２の外径よりやや大きくしクリアランス２４を設ける（図１０参照）と、基部２をブリッジ状に支持したとき変形に適応しやく、安定した支持が可能となる。また両端部の側縁１０が弧状であり丸みを帯びているから、基部２の安全性の向上に寄与する。特に基部２が湾曲状に大きく変形したような場合、丸みを帯びた側縁１０は基部２の安全性の向上に寄与する。【００１５】  表示用プレート７は台座部３に装着されるとともに両者の間に介在する接着層１７により台座部３に固着される。台座部の底面２３は平滑な平面であり、表示用プレート７が接着層１７の接着力により台座部の底面２３に接着される。さらに台座部の底面２３に小凹凸部２６を設け、表示用プレート７と台座部３との間に介在する接着層１７の接着力を強化することができる。すなわち下方の接着層１７とこれに接触する小凹凸部２６が互いにくい込むような状態で固着されるから接着性が安定し強化される。小凹凸部２６とは小凹部およ／または小凸部からなり、小凹凸部の形状などは任意である。【００１６】  台座部の底面２３における小凹凸部２６の設定位置、大きさ、範囲などは任意である。たとえば、図１２のように���底面２５の中央部の両側に小凹凸部２６を対称的に配設する。基部２が変形すると小凹凸部２６が接着層１７と底面２３との接着性を補強する。特に基部２の中央部が上方あるいは下方に湾曲するとき基部２の中央部における接着性を効果的に補強する。図示の場合、小凹凸部２６は底面２３の中央部の両側においてクレータ状ｎｏとなる円形の小凸部を形成したものであり、またギザギザ状の小凹凸部を多数形成したものでもよい（図せず）。【００１７】  以上の述べた表示具１は基部２、表示プレート７などの構成要素に適宜な可撓性を付与したものであるが、これら構成要素は可撓性がなく剛性を付与したものでもよい。すなわち構成要素は剛性素材からなり、表面に凹陥する台座部３を有する基部２と、台座部３に装着して固着される表示プレート７と、かばん類、袋物などの対象物５０に基部２を固定する固定子６とからなり、弧状の側縁１０を有する基部の両端部９、９に中心の円形の貫通孔１１と同心円状でありかつ台座部３とほぼ同じ深さの受け凹部１２を形成した。貫通孔１１と同心円状の受け凹部１２は、貫通孔１１に円筒状の軸部２２を挿入するとともに受け凹部１２に頭部が装着された固定子を介して基部をかばん類、袋物などの対象物に固定した。この表示具１に可撓性はなく、また湾曲性もない。【００１８】  そして同心円状にある貫通孔１１および受け凹部１２と、両端部９の円弧状の側縁１０との関係をみると、基部２の中心線Ｘ−Ｘと直交しかつ凹部１２、貫通孔１１の直径を含む垂直線Ｙ−Ｙを基準にするとき、凹部１２、貫通孔１１の側縁１０側における半円部分が円弧状の側縁１０と対向して並行している。また受け凹部１２に装着される頭部２１も円形であるから、固定子６により両端部９、９が全体に安定かつ強固に対象物に固定される。
【発明の効果】
【００１９】  以上のように本発明にかかるかばん類、袋物用表示具によれば、柔軟性のあるかばん類、袋物（対象物）に対してもその変形に適宜に対応できる。また安全性、安定性に優れる、対象物に強固に固定される。
【図面の簡単な説明】
【図１】  本発明にかかる表示具を取りつけたかばんの斜視図である。
【図２】  同表示具を取りつけた札入の斜視図である。
【図３】  同表示具を取りつけた手提げかばんの斜視図である。
【図４】  同表示具を取りつけた書類入れの斜視図である。
【図５】  同表示具の構成要素である基部の斜視図である。
【図６】  同基部の平面図である。
【図７】  同表示具を分解した状態における構成要素の基部、表示プレート、固定子を示す断面図である。
【図８】  同表示具を対象物に固定した状態を示す  断面図である。
【図９】  同表示具を固定子で固定した状態を示す  一部拡大断面図である。
【図１０】  同表示具を固定子で固定した他の状態を示す  一部拡大断面図である。
【図１１】  同表示具が対象物とともに湾曲した状態を示す断面図である。
【図１２】  受け凹部の底面に小凸部を形成した基部の平面図である。
【符合の説明】
１      表示具
２      基部
３      台座部
６      固定子
７      表示用プレート
９、９  両端部
１１    貫通孔
１２    受け凹部
１３    かしめ
１６    中間材
１７    接着層
２１    頭部
２２    軸部
２３    台座部の底面
２４    クリアランス
【図１】
2005078062.tif 000003
【図２】
2005078062.tif 000004
【図３】
2005078062.tif 000005
【図４】
2005078062.tif 000006
【図５】
2005078062.tif 000007
【図６】
2005078062.tif 000008
【図７】
2005078062.tif 000009
【図８】
2005078062.tif 000010
【図９】
2005078062.tif 000011
【図１０】
2005078062.tif 000012
【図１１】
2005078062.tif 000013
【図１２】
2005078062.tif 000014